(57)【要約】【課題】構成が簡素である、あるいは、組立が簡単でウォータジャケット内への取り付けが容易である、良好な温度調節性能を確保できる等の利点を有するウォータジャケットスペーサを提供する。【解決手段】シリンダの外周における冷却水の流路として連通形成されたウォータジャケットに内挿されるウォータジャケットスペーサ３であって、該ウォータジャケットの周方向に沿って一体に連接される複数のスペーサ片１と、複数のスペーサ片１の各々において、連接するスペーサ片との接辺に沿って形成され該連接するスペーサ片を該シリンダの軸方向へ滑動可能に連結する連結部２とを備える。【選択図】図１
2007315196.tif 000002
【特許請求の範囲】
【請求項１】
シリンダの外周における冷却水の流路として連通形成されたウォータジャケットに内挿されるウォータジャケットスペーサであって、
該ウォータジャケットの周方向に沿って一体に連接される複数のスペーサ片と、
該複数のスペーサ片の各々において、連接するスペーサ片との接辺に沿って形成され該連接するスペーサ片を該シリンダの軸方向へ滑動可能に連結する連結部と
を備えたことを特徴とする、ウォータジャケットスペーサ。
【請求項２】
該連結部が、該接辺から突出した凸形状又は該凸形状に係合する凹形状に形成されてなる
ことを特徴とする、請求項１記載のウォータジャケットスペーサ。
【請求項３】
該連結部の外面に突出する凸部又は該凸部に係合する凹部を有し、これら凹凸部の係合により該スペーサ片の該シリンダ軸方向への滑動を阻止するように構成されている
ことを特徴とする、請求項１又は２記載のウォータジャケットスペーサ。
【請求項４】
該連結部が、該シリンダの軸方向に対する垂直断面形状を鉤状に形成されてなる
ことを特徴とする、請求項１〜３の何れか１項に記載のウォータジャケットスペーサ。
【請求項５】
該ウォータジャケットが、複数の該シリンダの外周に沿って連通形成されており、
該複数のスペーサ片が、該シリンダの各々の外周壁に沿うように湾曲した複数の第１スペーサ片と、該複数のシリンダの隣接部に沿うようにＶ字状に形成された複数の第２スペーサ片とを有してなる
ことを特徴とする、請求項１〜４の何れか１項に記載のウォータジャケットスペーサ。
【請求項６】
該複数の第１スペーサ片の各々が、互いに同一形状に形成されているとともに、
該複数の第２スペーサ片の各々が、互いに同一形状に形成されている
ことを特徴とする、請求項５記載のウォータジャケットスペーサ。
【請求項７】
該ウォータジャケットが、その上方の一部を塞ぐ複数のブリッジを有するセミクローズドデッキ構造のシリンダブロックに形成されるとともに、
該複数のスペーサ片の各々が、その連接方向の幅を、該複数のブリッジ間の距離よりも短く、かつ、該ウォータジャケットの内部における気筒間部と該ブリッジとの距離よりも短く形成されている
ことを特徴とする、請求項１〜６の何れか１項に記載のウォータジャケットスペーサ。
【発明の詳細な説明】
【技術分野】
【０００１】
本発明は、エンジンのシリンダブロックのウォータジャケットに内挿されるウォータジャケットスペーサに関する。
【背景技術】
【０００２】
従来より、水冷式のエンジンのシリンダブロックには、ウォータジャケットと呼ばれる冷却水の流路が形成されている。ウォータジャケットは、例えばシリンダライナとシリンダブロック外壁の間において、円筒状のシリンダの外周側を囲うように掘り込まれており、その内部を流れる冷却水によってシリンダ外周の略全体が冷却されるようになっている。
【０００３】
一般に、このウォータジャケットの上端部の形態に応じて、シリンダブロックはクローズドデッキ，セミクローズドデッキ（セミオープンデッキとも呼ばれる）及びオープンデッキに分類される。
クローズドデッキとは、ウォータジャケットの上方が大部分閉塞されたもののことを指し、シリンダブロック上面の開口箇所が少なくなる分、シリンダブロック全体として比較的高い剛性が得られやすいという特徴がある。一方、オープンデッキとは、ウォータジャケットの上方がシリンダヘッド側に開放されたもの（閉塞されていないもの）のことを指し、剛性の面ではクローズドデッキに劣るものの、ウォータジャケットの上部を閉塞する部材がない分、シリンダライナの上部を効率的に冷却できるという特徴がある。
【０００４】
セミクローズドデッキは、これらのクローズドデッキ及びオープンデッキのメリットを兼ね備えたものであり、シリンダライナとシリンダブロック外壁間でウォータジャケットの幅方向に架け渡されたブリッジが形成され、このブリッジでウォータジャケットの上部が部分的に閉塞されたものである。セミクローズドデッキのシリンダブロックは、ウォータジャケット上部のブリッジが補強の役割を果たすので充分な剛性を確保できるとともに、ブリッジ以外の部分ではウォータジャケット上部に冷却水が至るのでシリンダライナ上部の冷却性を向上させることができるようになっている。
【０００５】
ところで、ウォータジャケット内における冷却水の温度分布を調節するため、一般にウォータジャケットスペーサが用いられている。ウォータジャケットスペーサとは、ウォータジャケットの内部に取り付けられる部材であり、冷却水の流通方向や流量を調節するほか、ウォータジャケットスペーサ自体が伝熱又は遮熱するように機能して、冷却水温やその分布，流通を調節する役割を果たす。
【０００６】
この種のウォータジャケットスペーサの公知文献としては、例えば以下の特許文献１及び２を挙げることができる。
特許文献１には、オープンデッキのシリンダブロックにおいて、ウォータジャケットの内部に環状に連なった閉曲線形状のウォータジャケットスペーサ（特に同文献１中の図２参照）を取り付けた構成が開示されている。このような閉曲線形状のウォータジャケットスペーサをウォータジャケット内に取り付けた場合は、ウォータジャケットスペーサよりも内周側（シリンダ側）と外周側との冷却水の流通をほぼ分離して整流することができる。
【０００７】
また、特許文献２には、オープンデッキのシリンダブロックにおいて、ウォータジャケットの内部に挿入されるウォータジャケットスペーサを複数の分割体として分割したものが開示されている。さらに同文献２には、寄せ手段としての弾性体を用いて各分割体を連結し、この寄せ手段で各分割体をウォータジャケットの内周側又は外周側へ付勢した構成が開示されている。同文献２によれば、スペーサを分割することでウォータジャケットへの組み付け性が良好になり、また、寄せ手段を用いることでウォータジャケットスペーサをシリンダライナ側の壁面に密着させて容易に保温することができるとされている。
【特許文献１】特開２００２−２６６６９５号公報
【特許文献２】特開２００５−１２０９４９号公報
【発明の開示】
【発明が解決しようとする課題】
【０００８】
しかしながら、上述の特許文献１に記載されたような、環状に連なったウォータジャケットスペーサは、セミクローズドデッキのシリンダブロックに適用することができない。なぜなら、セミクローズドデッキのシリンダブロックにはウォータジャケット上部に形成されたブリッジが存在し、環状に連なったウォータジャケットスペーサをウォータジャケットの上側から挿入しようとしてもブリッジに当たってしまうため、ウォータジャケットスペーサをウォータジャケット内へ取り付けることができないのである。また、ウォータジャケットの全体形状に倣ってウォータジャケットスペーサを一体形成しておく必要があるため、例えば複数のシリンダを備えた（多気筒エンジンの）シリンダブロックにおいてはウォータジャケットスペーサ単体のサイズが大きくなり、輸送や保管の際に広いスペースが必要になる、あるいは、製造コストが嵩むという課題もある。
【０００９】
一方、上述の特許文献２に記載されたように、ウォータジャケットスペーサを複数の分割体として形成したとしても、セミクローズデッキのシリンダブロックに適用する場合には、各分割体を比較的幅の狭いウォータジャケットの内部で連結する必要があり、取り付け作業が困難である。また、寄せ手段を用いる場合は、各分割体が寄せ手段で連結されて実質的に一体化した状態となるため、上述の特許文献１の課題と同様に、セミクローズドデッキのシリンダブロックには適用できないという課題がある。
【００１０】
本発明はこのような課題に鑑み案出されたもので、構成が簡素である、あるいは、組立が簡単でウォータジャケット内への取り付けが容易である、良好な温度調節性能を確保できる等の利点を有するウォータジャケットスペーサを提供することを目的とする。
【課題を解決するための手段】
【００１１】
上記目的を達成するため、本発明のウォータジャケットスペーサ（請求項１）は、シリンダの外周における冷却水の流路として連通形成されたウォータジャケットに内挿されるウォータジャケットスペーサであって、該ウォータジャケットの周方向に沿って一体に連接される複数のスペーサ片と、該複数のスペーサ片の各々において、連接するスペーサ片との接辺に沿って形成され該連接するスペーサ片を該シリンダの軸方向へ滑動可能に連結する連結部とを備えたことを特徴としている。
【００１２】
本発明のウォータジャケットスペーサ（請求項２）は、該連結部が、該接辺から突出した凸形状又は該凸形状に係合する凹形状に形成されてなることを特徴としている。
本発明のウォータジャケットスペーサ（請求項３）は、該連結部の外面に突出する凸部又は該凸部に係合する凹部を有し、これら凹凸部（該凸部及び該凹部）の係合により該スペーサ片の該シリンダ軸方向への滑動を阻止するように構成されていることを特徴としている。
【００１３】
本発明のウォータジャケットスペーサ（請求項４）は、該連結部が、該シリンダの軸方向に対する垂直断面形状を鉤状に形成されてなることを特徴としている。
本発明のウォータジャケットスペーサ（請求項５）は、該ウォータジャケットが、複数の該シリンダの外周に沿って連通形成されており、該複数のスペーサ片が、該シリンダの各々の外周壁に沿うように湾曲した複数の第１スペーサ片と、該複数のシリンダの隣接部に沿うようにＶ字状に形成された複数の第２スペーサ片とを有してなることを特徴としている。
【００１４】
この場合、該複数の第１スペーサ片の各々が、互いに同一形状に形成されているとともに、該複数の第２スペーサ片の各々が、互いに同一形状に形成されていることが好ましい（請求項６）。
また、本発明のウォータジャケットスペーサ（請求項７）は、該ウォータジャケットが、その上方の一部を塞ぐ複数のブリッジを有するセミクローズドデッキ構造のシリンダブロックに形成されるとともに、該複数のスペーサ片の各々が、その連接方向の幅を、該複数のブリッジ間の距離よりも短く、かつ、該ウォータジャケットの内部における気筒間部と該ブリッジとの距離よりも短く形成されていることを特徴としている。
【発明の効果】
【００１５】
本発明のウォータジャケットスペーサ（請求項１）によれば、一体配置されるウォータジャケットスペーサを複数のスペーサ片に分割して形成することで、環状に連なった閉曲線形状のものに比べて低コストで容易に製造することができ、生産性を高めることができる。
また、各スペーサ片は、滑動可能な連結部で連結される構造となっているため、開放されたウォータジャケットの上側からスペーサ片を滑動させつつ挿入し、ウォータジャケット内で連結することができるので、取り付け作業が容易になる。さらに、各スペーサ片の挿入後は、複数のスペーサ片が連結されて一体化するため、一体型のウォータジャケットスペーサと同様に良好な温度調節機能を確保することができる。なお、例えばウォータジャケットの上部にシリンダヘッドが取り付けられると、ウォータジャケット内における各スペーサ片の軸方向への移動が拘束されるため、容易にウォータジャケットスペーサの位置を固定することができる。
【００１６】
また、本発明のウォータジャケットスペーサ（請求項２）によれば、互いに係合する凹凸形状により、容易に複数のスペーサ片を一体に連接することができる。また、このような凹凸形状が接辺に沿って形成されていると、スペーサ片を挿入する際に接辺に沿って容易に滑動させることができる。また、このような凹凸形状は、構成が簡素であり加工が容易であるという利点もある。
【００１７】
また、本発明のウォータジャケットスペーサ（請求項３）によれば、連結部の外面に凹凸部を有しているため、連結部の連結操作に伴いこれらが凹凸係合することで、連接するスペーサ片のシリンダ軸方向（スペーサ片が滑動する方向）への脱離を防止することができ、スペーサ片の脱離防止効果をより高めることができる。
また、本発明のウォータジャケットスペーサ（請求項４）によれば、連結部が鉤形状となっているため、特に、連接するスペーサ片同士のシリンダ周方向への脱離防止効果を高めることができる。
【００１８】
また、本発明のウォータジャケットスペーサ（請求項５）によれば、２種類のスペーサ片を用意することで、複数のシリンダの外側全体を囲うような複雑な形状のウォータジャケットに対しても、その内部で一体に連結されるウォータジャケットスペーサを容易に形作ることができる。
また、本発明のウォータジャケットスペーサ（請求項６）によれば、第１スペーサ片及び第２スペーサ片の寸法を規格化することができ、製造コストをさらに低減させることができる。
【００１９】
また、本発明のウォータジャケットスペーサ（請求項７）によれば、セミクローズドデッキ構造のシリンダブロックに形成されたウォータジャケットに対し、シリンダの周方向に沿って一体化したウォータジャケットスペーサを取り付けることができる。
すなわち、このようなウォータジャケットスペーサは、取り付け時には各スペーサ片に分割されているためブリッジと当たって挿入不能になることはない。さらに、取り付け後は一体型のウォータジャケットスペーサをウォータジャケット内に配することができ、ウォータジャケット内における冷却水の流量制御や温度制御が容易となる。
【発明を実施するための最良の形態】
【００２０】
以下、図面を参照しつつ、本発明の一実施形態について説明する。図１は本発明の一実施形態に係るウォータジャケットスペーサの全体構成を示す斜視図、図２は本スペーサをなすスペーサ片の構成を示す図であり、（ａ），（ｂ）は第１スペーサ片の斜視図、（ｃ）は第２スペーサ片の斜視図、（ｄ）は第１スペーサ片の断面図〔（ａ）におけるＡ−Ａ断面図〕、図３は本スペーサが取り付けられたシリンダブロックの上面図、図４は本スペーサが取り付けられるシリンダブロックの上部斜視図、図５は本スペーサが取り付けられるシリンダブロックの全体斜視図、図６は本スペーサが取り付けられたエンジンの構成を示す断面図である。
【００２１】
［構成］
（１）エンジン（主にシリンダブロック）構成
本発明に係るウォータジャケットスペーサ３は、図６に示す水冷式のエンジン１３に適用されている。このエンジン１３は、シリンダブロック１０とその上部側に取り付けられるシリンダヘッド１２とを備えて構成されている。シリンダブロック１０とシリンダヘッド１２との接合面間には、気密性を確保するためのガスケット１１が挟まれている。また、シリンダブロック１０の下部側には、クランクシャフトを支持するクランクケース（共に図示せず）が設けられている。
【００２２】
シリンダヘッド１２には、点火プラグや吸気通路上に介装された吸気弁，排気通路上に介装された排気弁等が備えられている。一方、シリンダブロック１０には、その内部をピストン１４が往復摺動するシリンダボア（気筒，以下単にシリンダと呼ぶ）４が形成されている。このシリンダ４は、外周をシリンダライナ（シリンダ４の筒面をなす壁体）６によって筒状に囲まれた、略円筒形状に形成された孔である。シリンダ４内部において、その上端部（上死点側）及び下端部（下死点側）がそれぞれシリンダヘッド１２及びピストン１４によって閉塞されて、燃焼室が形成されている。なお、図６中にシリンダ４の円筒軸を符号ＣＬで示す。
【００２３】
このシリンダブロック１０には、シリンダ４の外周部においてエンジン１３を冷却するための冷却水の流路としてのウォータジャケット５が形成されている。ここでは、ウォータジャケット５がシリンダライナ６の外周を囲うように形成されており、シリンダ４外周の略全体を冷却しうる形状をなしている。このウォータジャケット５は、シリンダライナ６の外側でシリンダブロック１０の上端から深さＤ（図６参照）だけ掘り込まれて形成されている。本ウォータジャケットスペーサ３は、このウォータジャケット５内に配置されている。
【００２４】
図５にシリンダブロック１０の全体斜視図を示す。本実施形態においては、エンジン１３として直列４気筒エンジンが適用されており、シリンダブロック１０は、四つのシリンダ４を直列に配置した構造を備えている。上述のウォータジャケット５は、直列４気筒のシリンダブロック１０においては、四つのシリンダ４の外周を囲うように連通形成されている。また、ウォータジャケット５の上端部には、シリンダライナ（一側面）６とシリンダブロック外壁（他側面）８との間（ウォータジャケット５の両側壁間）を繋ぐように架け渡されたブリッジ７が形成されている。このように、ウォータジャケット５の上端部（上方の一部）がブリッジ７によって部分的に連結された（塞がれた）シリンダブロックがセミクローズドデッキと呼ばれることは、上述した通りである。
【００２５】
なお、図３〜図５に示すように、隣接する各シリンダ４間のシリンダライナ６は、互いに重合するように繋がっている。一般には、このようなシリンダライナ６が重合した部位のことを気筒間部と呼ぶ。また、以下、ウォータジャケット５内部における気筒間部近傍のことを隣接部１５と呼ぶ。
ブリッジ７は、図４及び図６に示すように、その上端面がシリンダブロック１０の上端面と面一になるように形成されており、その厚みはｄとなっている。
【００２６】
シリンダブロック１０の上面視において、ブリッジ７は、各シリンダ４の円筒軸ＣＬを結んだ仮想線Ｌ（図３，図４参照）とウォータジャケット５とが交わる付近、及び、各シリンダ４の円筒軸ＣＬから仮想線Ｌに垂直な仮想線Ｍ（図３，図４参照）とウォータジャケット５とが交わる付近にそれぞれ形成されている。
なお、図３及び図４に示すように、ウォータジャケット５の上方は複数のブリッジ７によって部分的に塞がれることになる。ウォータジャケット５の幅方向中央線（図４中に破線で示す）は、シリンダ４の外径を拡大した円弧線を連結した線となるが、各ブリッジ７によって区切られた円弧状の中央線のうち、最も弧長の短いものが図３，図４中に符号ａで示されている。また、図４，図５に示すように、シリンダブロック１０の上端面には、シリンダブロック１０とシリンダヘッド１２とを締結固定するための複数のボルト孔９が形成されている。
【００２７】
（２）ウォータジャケットスペーサ構成
本ウォータジャケットスペーサ３は、図１に示すように、複数のスペーサ片１（図２参照）を備えて構成されており、各スペーサ片１が連結されて一体に形成されている。一体化した状態においては、直列４気筒の各シリンダ４の外側全体を囲むように、環状に連なった閉曲線形状をなすものである。
【００２８】
本実施形態のスペーサ片１には、図２（ａ），（ｂ）に示す第１スペーサ片１ａと、図２（ｃ）に示す第２スペーサ片１ｂとの二種類の形状の部材がそれぞれ複数用意されている。なお、複数の第１スペーサ片１ａの各々は、互いに同一形状に形成されている。複数の第２スペーサ片１ｂについても同様であり、全て同一形状である。
以下、スペーサ片１（第１スペーサ片１ａ及び第２スペーサ片１ｂ）の説明における上・下、左・右、湾曲内・外とは、特に断らない限り、図２（ａ）及び（ｂ）に矢印で示す方向を指すものとする。なお、上下方向は、前述したシリンダ４の円筒軸ＣＬ（図４，図６参照）の延びる方向と同一である。
【００２９】
第１スペーサ片１ａは、シリンダ４の外周壁に沿うように円弧状に湾曲した板状の部材である。この第１スペーサ片１ａは、ウォータジャケット５内へ配置された状態では、ウォータジャケット５の両側壁に対して所定の間隙を持つ（接触しない）曲率を備えている（図６参照）。一方、第２スペーサ片１ｂは、シリンダ４の隣接部１５に沿うようにＶ字状に形成された部材である。この第２スペーサ片１ｂは、第１スペーサ片１ａと同一の曲率で湾曲した二枚の板材をＶ字状に一体化した形状をなしている。
【００３０】
また、これらの各スペーサ片１の左右両端辺（接辺）には、各スペーサ片１同士を連結するための連結部２が形成されており、この連結部２は凸接辺２ａ及び凹接辺２ｂを備えて構成されている。
まず、第１スペーサ片１ａについて詳細に説明する。
図２（ａ）に示すように、連結部２の凸接辺２ａは、第１スペーサ片１ａの一方の側端面〔図２（ａ）の左側端面〕から突出するように、上下方向（側端面の長手方向全長）にわたって凸形状に形成されている。一方、連結部２の凹接辺２ｂは、第１スペーサ１ａの他方の側端面〔図２（ａ）の右側端面〕が掘り込まれるように、上下方向（側端面の長手方向全長）にわたって凹形状に形成されている。
【００３１】
凸接辺２ａと凹接辺２ｂとは、互いに凹凸係合可能である。例えば図１に示すように、一方の第１スペーサ片１ａ′の凸接辺２ａ及び凹接辺２ｂに別の第１スペーサ辺１ａ″の凹接辺２ｂや凸接辺２ａをそれぞれ合わせながら、第１スペーサ片１ａ′を下方向（図１中矢印Ｂ3方向）へスライド移動させると、各凸接辺２ａと凹接辺２ｂとが凹凸係合して、各スペーサ片１ａ′，１ａ″を互いに連結させることができるようになっている。なお、凸接辺２ａ及び凹接辺２ｂの凹凸係合により、連接する各第１スペーサ片１ａは、シリンダ４の径方向への移動を互いに規制されるようになっている。
【００３２】
さらに、図２（ａ）及び（ｄ）にわかり易く示すように、凸接辺２ａの湾曲内側面には、上下方向に沿った溝部２ｄが形成されている。この溝部２ｄは、凸接辺２ａの下端から上端付近まで延びており、上端２ｄ′には端面が存在するが、下端２ｄ″は開放されている。一方、凹接辺２ｂの内側には、溝部２ｄに係合可能な鉤部２ｃが形成されている。この鉤部２ｃは、水平断面が鉤状〔図２（ｄ）参照〕となるように、凹接辺２ｂの内側に張り出して形成されている。鉤部２ｃは、凹接辺２ｂの下端から上端付近まで延びており、溝部２ｄと略同一の長さとなっている。上述したように第１スペーサ片１ａをスライド移動させて凸接辺２ａと凹接辺２ｂとを凹凸係合させると、それと同時に、これら溝部２ｄと鉤部２ｃとが互いに凹凸係合する。これら溝部２ｄ及び鉤部２ｃ（凹凸部）の凹凸係合により、二つの第１スペーサ片１ａを互いに連結させた状態にしたときは、シリンダ４の周方向への離脱が防止されるようになっている。
【００３３】
また、図２（ａ）に示すように、鉤部２ｃの先端面の一部には、凹接辺２ｂの内側へ突出した突起（凸部）２ｅが形成されている。一方、溝部２ｄの底面の一部には、突起２ｅと係合可能な穴（凹部）２ｆが形成されている。これらの突起２ｅ及び穴２ｆは、ともに第１スペーサ片１ａの上端（又は下端）からの距離が同一の位置に形成されている。二つの第１スペーサ片１ａを互いに連結させた状態では、突起２ｅが穴２ｆに入り込んで係合する。これにより、両第１スペーサ片１ａ同士の連結が一層確実になり、特に上下方向へのずれが起こりにくくなる。
【００３４】
なお、図２（ｂ）は、図２（ａ）の第１スペーサ片１ａの天地を反転させて示したものである。凸接辺２ａの断面積（外形）は、下端側の方が上端側よりも小さい。一方、凹接辺２ｂの断面積は、下端側の方が上端側よりも大きくなるように（すなわち、凹みが小さくなるように）形成されている。このように外形の大きさに差があると、凸接辺２ａの下端部側外形と凹接辺２ｂの上端部側外形との間には適当なクリアランスが確保されるので、第１スペーサ片１ａ同士を連結する際には、凹接辺２ｂに対して凸接辺２ａを合わせ易くなり、連結作業がよりスムーズに行える。
【００３５】
次に、第２スペーサ片１ｂについて説明する。
前述の通り、第２スペーサ片１ｂは、シリンダ４の隣接部１５に沿うようにＶ字状に形成されている。図２（ｃ）に示すように、上述した第１スペーサ片１ａと同様に、第２スペーサ片１ｂにおいてもその左右両側辺には、凸接辺２ａ，凹接辺２ｂ，鉤部２ｃ，溝部２ｄ，突起２ｅ及び穴２ｆが形成されている。これにより、第１スペーサ片１ａと第２スペーサ片１ｂとを、互いに滑動可能に連結することができるようになっている。
【００３６】
図２（ａ），（ｃ）に示す、第１スペーサ片１ａ及び第２スペーサ片１ｂの高さＨは、ウォータジャケット５の深さＤ（図６参照）からブリッジ７の厚みｄ（図４、図６参照）を減じた長さ以下（Ｈ≦Ｄ−ｄ）に設定されている。また、図２（ｄ）に示す、第１スペーサ片１ａの左右方向（連接方向）の幅Ｗは、ウォータジャケット５の上方におけるブリッジ７間の最小距離ａ（図３、図４参照）よりも小さく（Ｗ＜ａ）設定されている。
なお、これらの第１スペーサ片１ａ及び第２スペーサ片１ｂの材質は任意であるが、例えば樹脂や金属，セラミックス等で形成することができる。
【００３７】
［作用］
本ウォータジャケットスペーサ３は上記のように構成されて、以下のようにシリンダブロック１０へ装着される。ここでは、図１又は図３中における位置Ｓ0〜Ｓ5に各スペーサ片１を取り付ける場合について説明する。
【００３８】
まず、図２（ａ），（ｃ）に示すような上述の二種類のスペーサ片１ａ，１ｂをそれぞれ複数用意する。ここで、図３にわかり易く示すように、第１スペーサ片１ａの幅Ｗは、ウォータジャケット５の上方におけるブリッジ７間の最小距離ａよりも小さいため、第１スペーサ片１ａは、位置Ｓ0〜Ｓ1にかけての上側からウォータジャケット５へスムーズに内挿することができる。
【００３９】
そこで、まず一枚目の第１スペーサ片１ａを位置Ｓ1の上側から内挿し、その第１スペーサ片１ａをウォータジャケット５の内部で図１中矢印Ｂ1方向へと移動させる。このとき、上述したように、第１スペーサ片１ａの高さＨが、ウォータジャケット５の深さＤからブリッジ７の厚みｄを減じた長さＤ−ｄ以下に設定されているため、ウォータジャケット５内においては、第１スペーサ片１ａの矢印Ｂ1方向（あるいは矢印Ｂ2方向）への移動が自在であり、第１スペーサ片１ａを位置Ｓ2へと移動させて仮置きすることができる。
【００４０】
続いて、二枚目の第１スペーサ片１ａを位置Ｓ1の上側から内挿する。このとき、位置Ｓ1の第１スペーサ片１ａの凸接辺２ａを位置Ｓ2の第１スペーサ片１ａの凹接辺２ｂに対して合わせ、ウォータジャケット５の内部へとスライド移動させると、凸接辺２ａと凹接辺２ｂとの凹凸係合、及び、溝部２ｄと鉤部２ｃとの凹凸係合によって、位置Ｓ1の第１スペーサ片１ａと位置Ｓ2の第１スペーサ片１ａとが互いに連結される。
【００４１】
ここで、位置Ｓ2の第１スペーサ片１ａに対して位置Ｓ1の第１スペーサ片１ａをスライド移動させていくと、各連結部２において、溝部２ｄの下端２ｄ″が突起２ｅに当たることとなるが、溝部２ｄと鉤部２ｃ間に適当なクリアランスを確保する等により、位置Ｓ2の第１スペーサ片１ａを若干強めに挿入する等をして、最終的には突起２ｅと穴２ｆとを係合させ、両第１スペーサ片１ａを連結することができる。この状態では、突起２ｅと穴２ｆとの係合に加えて、溝部２ｄの上端２ｄ′と鉤部２ｃの上端２ｃ′とが当たることにより、第１スペーサ片１ａの下側へのずれが防止される。
【００４２】
さらに、一体となった二つの第１スペーサ片１ａをウォータジャケット５の内部で図１中矢印Ｂ1方向へと水平移動させて、位置Ｓ2及びＳ3へと仮置きする。
このような手順を繰り返して、位置Ｓ1〜Ｓ5に第１スペーサ片１ａを仮置きし、最後に、第２スペーサ片１ｂを位置Ｓ0の上側から内挿する。このような手順により、位置Ｓ0〜Ｓ5に第１スペーサ片１ａ及び第２スペーサ片１ｂが、互いに一体に連結した状態で配置される。
【００４３】
一体に連結されたウォータジャケットスペーサ３は、隣接する連結部２において、一方の凸接辺２ａに対して他方の凹接辺２ｂが嵌合するため、各スペーサ片１は互いにシリンダ４の径方向への移動が規制される。同時に、一方の凸接辺２ａに形成された溝部２ｄに対して、他方の凹接辺２ｂに形成された鉤部２ｃが嵌合するため、各スペーサ片１は互いにシリンダ４の周方向への移動が規制される。加えて、図２（ａ）〜（ｄ）に示すように、一方の溝部２ｄに形成された突起２ｅと他方の鉤部２ｃに形成された穴２ｆとが嵌合するため、各スペーサ片１はシリンダ４の軸方向への離脱が防止される。つまり、各スペーサ片１は、互いに直交する三方向への移動が規制されることになり、各々の連結部２が互いに強固に固定し合うように作用する。
【００４４】
［効果］
このように本ウォータジャケットスペーサ３によれば、従来、一体化したウォータジャケットスペーサを取り付けることができなかったセミクローズドデッキのシリンダブロック１０に対して、一体化したウォータジャケットスペーサと同等の機能を有するスペーサを取り付けることができる。
【００４５】
すなわち、ウォータジャケットスペーサ３の全体が複数のスペーサ片１に分割されているため、ブリッジ７に当たって挿入不能になることがない。また、各スペーサ片１は、滑動可能な連結部２で連結される構造となっているため、開放されたウォータジャケット５の上側からスペーサ片１を滑動させつつ挿入し、ウォータジャケット５内で連結することができ、容易に取り付け作業を行うことができる。さらに、各スペーサ片１の挿入後は、複数のスペーサ片１が連結されて一体化するため、一体型のウォータジャケットスペーサと同様に良好な温度調節機能を確保することができる。
【００４６】
また、ウォータジャケットスペーサ３を複数のスペーサ片１に分割して形成することで、環状に連なった閉曲線形状のものに比べて、低コストで容易に製造することができ、生産性を高めることができる。
さらに、本実施の形態における各スペーサ片１の連結部２は凸接辺２ａ及び凹接辺２ｂを備えているため、互いに係合する凹凸形状により、容易に複数のスペーサ片１を一体に連接することができる。また、このような凹凸形状が左右両接辺に沿って形成されていると、スペーサ片１をウォータジャケット５へ挿入する際に、隣のスペーサ片１の接辺に沿って容易に滑動させることができる。また、このような凹凸形状は、構成が簡素であり加工が容易であるという利点もある。
【００４７】
また、図２（ａ）に示すように、凸接辺２ａの外形は上端部側よりも下端部側が小さく、凹接辺２ｂの外形は上端部側よりも下端部側が大きく（凹みが小さく）形成されている。このような外形の大きさの差により、凹接辺２ｂに対して凸接辺２ａを差し込む際のクリアランスを確保することができ、連結作業をスムーズに行うことができる。
なお、連結部２の外面に突起２ｅ及び穴２ｆが形成されているため、連結部２の連結操作に伴いこれらが凹凸係合することで、連接するスペーサ片１のシリンダ軸方向（スペーサ片が滑動する上下方向）への脱離を防止することができる。また、連結部２に溝部２ｄ及び鉤部２ｃが形成されているため、これらを互いに凹凸係合させることで、連接するスペーサ片１同士のシリンダ周方向への脱離防止効果を高めることができる。
【００４８】
また、第１スペーサ片１ａ及び第２スペーサ片１ｂという２種類のスペーサ片を用意することで、複数のシリンダ４の外側全体を囲うような複雑な形状のウォータジャケット５に対しても、その内部で一体に連結されるウォータジャケットスペーサ３を容易に形作ることができる。なお、第１スペーサ片１ａの形状は、シリンダ４の外周壁に沿うように円弧状に湾曲しているため、その幅の大きさを任意に設定することが可能である。
【００４９】
また、上述のような複雑な形状のウォータジャケットスペーサ３を形成するのに、第１スペーサ片１ａ及び第２スペーサ片１ｂの二種類の形状の部材を用意するだけでよい。つまり、第１スペーサ片１ａ及び第２スペーサ片１ｂの寸法を規格化することができ、容易に製造することができるだけでなく、製造コストをさらに低減させることができる。
また、本ウォータジャケットスペーサ３により、ウォータジャケット５の内部をシリンダライナ６側の空間とシリンダブロック外壁８側の空間とに分離することができ、ウォータジャケット５内における冷却水の流通を整流することができる。
【００５０】
［その他］
以上、本発明の一実施形態について説明したが、本発明はこのような実施形態に限定されるものではなく、本発明の趣旨を逸脱しない範囲で種々変形して実施することができる。
例えば、上述の実施形態では、連結部２が凸接辺２ａや凹接辺２ｂ等を備えて構成されているが、隣り合って連接するスペーサ片１同士をシリンダの軸方向（ウォータジャケットの深さ方向）へ滑動可能に連結するものであればこのような構成に限定されない。例えば公知のスライドレール機構等を連結部２に適用することも可能である。この場合、スライドレールをスペーサ片１の左右両端辺に沿って取り付けることで、連接するスペーサ片１同士をシリンダの軸方向へ滑動可能に連結することができる。
【００５１】
また、上述の実施形態では、第１スペーサ片１ａ及び第２スペーサ片１ｂがそれぞれ、全て同一形状となっているが、これは、ウォータジャケットスペーサ３全体の形状等に応じて適宜変更可能である。なお、製造コストの面では、部品点数が少ないほど好ましい。
また、上述の実施形態では、溝部２ｄ及び鉤部２ｃが連結部２の下端から上端付近まで延びて形成されており、溝部２ｄの上端２ｄ′には端面が存在している構成としたが、このような端面を設けることなく溝部２ｄ及び鉤部２ｃを側端面の長手方向全長にわたって形成してもよい。
【００５２】
例えば、本発明の変形例としてのウォータジャケットスペーサをなすスペーサ片の断面図及び側面図を、図７（ａ）〜（ｃ）に示す。
図７（ａ）に示す例は、スペーサ片の側端面において、凸接辺２ａ及び溝部２ｄにより水平断面鉤状をなす一方の連結部が上下方向全長にわたって形成されるとともに、これと凹凸係合する他方の連結部（凹接辺２ｂ及び鉤部２ｃ）が上下方向全長にわたって形成されたものである。このような構成により、凸接辺２ａの下端を凹接辺２ｂの上端側から下方向へスライド移動させることも、凹接辺２ｂの下端を凸接辺２ａの上端側から下方向へスライド移動させることも可能となる。つまり、任意の順序でスペーサ片１同士を連結させることができる。
【００５３】
またこの場合、上述の実施形態と同様に、スペーサ片同士の連結時に互いに係合する突起及び穴を連結部に設けることが好ましい。図７（ａ）に示す例では、凸接辺２ａの先端部に湾曲内側方向へ突出する突起２ｅ′が設けられ、さらにこれと係合可能な穴２ｆ′が凹接辺２ｂに設けられている。このような構成により、互いに連結するスペーサ片の上下方向へのずれを生じにくくすることが可能となる。なお、このような突起２ｅ′及び穴２ｆ′は、凸接辺２ａと凹接辺２ｂとの接触面、あるいは、溝部２ｄと鉤部２ｃとの接触面の何れかの位置に設ければよく、具体的な位置の設定は任意である。
【００５４】
また、連結部の形状は上述の実施形態に係る形状のものに限定されない。例えば、一方の連結部をなす凸接辺２ａの湾曲内側面及び湾曲外側面のそれぞれに溝部２ｄを形成し、他方の連結部をなす凹接辺２ｂにこれら各溝部２ｄとそれぞれ係合する鉤部２ｃを形成したものを図７（ｂ）に例示する。この例では、凸接辺２ａの水平断面形状が略Ｔ字状となるように、スペーサ片の側端面から突出形成されている。このように、凸接辺２ａ及び凹接辺２ｂの形状を、それらの係合が外れにくい形状とすることにより、スペーサ片同士の連結をより確実なものとすることができる。
【００５５】
さらに、例えば、図７（ｃ）に示すように、スペーサ片の側端面から突出する凸接辺２ａ′の水平断面形状が、先端側へ向けて徐々に幅広となる台形形状（すなわち、突出方向へ向けて拡大するテーパ形状）に形成されるとともに、これと係合する凹接辺２ｂ′に内側へ向けて徐々に幅広となる内凹部を形成してもよい。このような構成は、溝部２ｄ及び鉤部２ｃを設けるよりも形状がシンプルでありながら、連結されたスペーサ片同士の左右方向（シリンダの周方向）への離脱を防止することができる。
【００５６】
また、上述の実施形態では、一つのスペーサ片１の左右両端辺に凸接辺２ａ及び凹接辺２ｂがそれぞれ形成されているが、凸接辺２ａと凹接辺２ｂとの組合せについても任意である。例えば、左右両側辺のそれぞれに凸接辺２ａを備えたスペーサ片と、左右両側辺のそれぞれに凹接辺２ｂを備えたスペーサ片とを用意し、これらの各スペーサ片を交互に連結するよう構成してもよい。このように連結部２の具体的な形状については、様々なバリエーションが考えられ、各スペーサ片同士の連結しやすさ等を考慮して、適宜設定することができる。
【００５７】
また、上述の実施形態では、ウォータジャケットスペーサ３がセミクローズドデッキのシリンダブロックに形成されたウォータジャケット５に適用された例を示したが、オープンデッキのシリンダブロックの場合であっても適用可能であることは言うまでもない。
なお、一体に連接されたウォータジャケットスペーサ３のウォータジャケット５に対する相対位置の固定方法については、公知の手法を用いればよく、例えばシリンダライナ６やシリンダ外壁８に対して固定金物を取り付けることが考えられる。この場合、ウォータジャケットスペーサ３は、環状に連なった閉曲線形状をなしているため、少なくともシリンダライナ６及びシリンダ外壁８に対する固定点を３点以上設ければ、ただ一つの相対位置が定められることになる。
【００５８】
また、シリンダライナ６やシリンダ外壁８に対して固定しなくても、例えばブリッジ７に対して固定する手法も考えられる。すなわち、各スペーサ片１の高さＨをウォータジャケット５の深さからブリッジ７の厚みを減じた長さＤ−ｄと等しく設定することで、スペーサ片１の上端とブリッジ７の下面とを接触させ、摩擦抵抗によってそのスペーサ片１を固定する。このような構成により、ウォータジャケットスペーサ３の全体をブリッジ７の下面に固定することができる。
【図面の簡単な説明】
【００５９】
【図１】本発明の一実施形態としてのウォータジャケットスペーサの全体構成を示す斜視図である。
【図２】本ウォータジャケットスペーサの部分構成を示す図であり、（ａ）は第１スペーサ片の斜視図、（ｂ）は（ａ）の第１スペーサ片の天地を反転させた状態の斜視図、（ｃ）は第２スペーサ片の斜視図、（ｄ）は第１スペーサ片の断面図〔（ａ）におけるＡ−Ａ断面図〕である。
【図３】本ウォータジャケットスペーサが取り付けられたシリンダブロックの上面図図である。
【図４】本ウォータジャケットスペーサが取り付けられるシリンダブロックの上面を示す模式的斜視図である。
【図５】本ウォータジャケットスペーサが取り付けられるシリンダブロックの全体斜視図である。
【図６】本ウォータジャケットスペーサが取り付けられたエンジンの構成を示す断面図である。
【図７】本発明の変形例を説明するための図であり、（ａ）〜（ｂ）はともに、変形例としてのウォータジャケットスペーサをなすスペーサ片の断面図及び側面図である。
【符号の説明】
【００６０】
１  スペーサ片
１ａ  第１スペーサ片
１ｂ  第２スペーサ片
２  連結部
２ａ，２ａ′  凸接辺
２ｂ，２ｂ′  凹接辺
２ｃ  鉤部
２ｄ  溝部
２ｅ，２ｅ′  突起（凸部）
２ｆ，２ｆ′  穴（凹部）
３  ウォータジャケットスペーサ
４  シリンダ
５  ウォータジャケット
６  シリンダライナ
７  ブリッジ
８  シリンダ外壁
９  ボルト孔
１０  シリンダブロック
１１  ガスケット
１２  シリンダヘッド
１３  エンジン
１４  ピストン
１５  隣接部
【図１】
2007315196.tif 000003
【図２】
2007315196.tif 000004
【図３】
2007315196.tif 000005
【図４】
2007315196.tif 000006
【図５】
2007315196.tif 000007
【図６】
2007315196.tif 000008
【図７】
2007315196.tif 000009